(57)【要約】【課題】鎌部材を掛止金具に良好に掛止できるとともに堅牢な鎌錠を提供する。【解決手段】カム溝１５０，遊挿溝１０２をケースＢ内の前部に、また、ケースＢ内の後部に直線ガイド溝９７を形成し、鎌部材２０の後部にはガイドピン８１を横設してハブ４０に連結すると同時にガイドピン８１を直線ガイド溝９７に係入させ、鎌部材２０の前部には一対のリンクプレート５０，６０の一端部を軸着すると同時に他端部に遊動軸５３，６３を横設し、リンクプレート５０，６０をカム溝１５０に沿って案内可能に配設するとともに遊動軸５３，６３を遊挿溝１０２に配設し、カム溝１５０は、鎌部材２０が前進するときに前部が途中突出位置（イ）まで直進できるように形成され、鎌部材２０に外力が加えられたときにリンクプレート５０，６０の他端部を当接して鎌部材２０を弧状経路に沿って後退するように形成されている。【選択図】図４
2011047272.tif 000002
【特許請求の範囲】
【請求項１】
カム溝及び遊挿溝をケース内の前部に形成するとともに、ケース内の後部に直線ガイド溝を形成し、
鎌部材の後部にはガイドピンを横設して外部操作可能なハブに連結すると同時にガイドピンを直線ガイド溝に係入させ、
鎌部材の前部には一対のリンクプレートの一端部を軸着すると同時にリンクプレートの他端部に遊動軸を横設し、
一対のリンクプレートをカム溝に沿って案内可能に配設するとともに遊動軸を遊挿溝に配設し、カム溝は、鎌部材が前進するときに前部が途中突出位置まで直進できるように形成されているとともに、鎌部材が掛止位置に移動しているときに、一対のリンクプレートの他端部を突入させるための突入部をカム溝に形成し、
鎌部材に外力が加えられたときに一対のリンクプレートの他端部を突入部に当接して他端部を中心とする弧状経路に沿ってケース内の所定位置に向けて後退できるように形成されていることを特徴とする鎌錠。
【請求項２】
一対のリンクプレートの一端部を摺接することにより、その一対のリンクプレートに連結した鎌部材を、ケース内の所定位置から所要寸法だけ水平に突出させた途中突出位置に向けての水平移動をガイドする壁部と、
その途中突出位置から掛止位置に向けての鎌部材の移動をガイドする壁部とをカム溝に形成していることを特徴とする請求項１に記載の鎌錠。
【請求項３】
一対のリンクプレートの一端部をカム溝の壁面に摺接させながら、ケース内の所定位置から掛止位置に向けての鎌部材の移動をガイドすることを特徴とする請求項１又は２に記載の鎌錠。
【請求項４】
カム溝には、一対のリンクプレートを当接することにより鎌部材を掛止位置に位置決めするための第一の位置決め壁部と、一対のリンクプレートを当接することにより鎌部材をケース内の所定位置に位置決めするための第二の位置決め壁部とが形成されていることを特徴とする請求項１〜３のいずれかに記載の鎌錠。
【請求項５】
少なくとも掛止位置に移動している鎌部材を弾性的に保持するための位置保持用弾性材をケース内に配設していることを特徴とする請求項１〜４のいずれかに記載の鎌錠。
【発明の詳細な説明】
【技術分野】
【０００１】
本発明は引戸に用いる鎌錠に関する。
【背景技術】
【０００２】
この種の鎌錠として、特許文献１〜３にそれぞれ記載された構成のものがある。
特許文献１，３に記載されている鎌錠は、図１３に示すように、錠ケース２５０の両側板部２６２の対向する内側面に、後部寄りから前方へ向けてガイド用長溝部２６０を各々形成するとともに、その各ガイド用長溝部２６０の前部寄りに上方へ湾曲状部２５２ａを形成し、先端に鉤形状部２５５をもつ鎌部材２５２に後方への横長状部２５６を形成して、その横長状部２５６中央寄りにガイド用ピン２６１を、また後端寄りに連結用ピン２５７を各々横設し、両ピン２６１，２５７を上記ガイド用長溝部２６０に係合させるとともに、連結用ピン２５７をハブ２５１と連結させた構成のものである。
上記したガイド用長溝部２６０の前部寄りの湾曲状部２５２ａは、掛止位置に向けて立ち上げられ、溝両側が膨らんだ湾曲状に形成されている。
【０００３】
また、特許文献２に記載された鎌錠は、図１４に示すように、一側ケース板内面の後部から中央部寄りにガイド用リブ２０１を突設した錠ケース２００内に、鎌部材２０２、一対のリンク２０６、及びハブ２０９を所要の連結構造にして収容した構成になっている。
鎌部材２０２には、これの長軸部２０３の前方寄りに鉤部２０４の屈曲方向と反対方向へ前方傾斜する長孔２０５が穿設されている。
一対のリンク２０６は、各端部が錠ケース２００に軸着され、各他端部が上記の長孔２０５と長軸部２０３を挟むようにして、第一の連結ピン２０７を挿通して鎌部材２０２に連結されている。
上記した長軸部２０３の後端寄りには、第二の連結ピン２０８が横設され、かつ、第二の連結ピン２０８を上記したガイド用リブ２０１に係合させている。
【０００４】
以上の構成においては、鎌部材２０２が掛止位置に向けて移動するときには、移動の途中において、鎌部材２０２の第一の連結ピン２０７と連結しているリンク２０６によって鎌部材２０２の水平移動が規制され、鎌部材２０２は後方の第二の連結ピン２０８を支点にして、軸回動するリンク２０６の回転軌道に沿って上方へ回動し、鉤部２０４の内側が受け金具２１１内の受板部２１２に掛合して施錠状態となる。
【先行技術文献】
【特許文献】
【０００５】
【特許文献１】特許第３４９２９２８号公報
【特許文献２】特開２００４−１０７９８１号公報
【特許文献３】特許第３４５４８０９号公報
【発明の概要】
【発明が解決しようとする課題】
【０００６】
まず、上記特許文献１，３に記載の鎌錠は、錠ケース２５０から前方に突出している鎌部材２５２に、錠ケース２５０内に向かう外力が作用することにより、鎌部材２５２は錠ケース２５０のガイド用長溝部２６０の湾曲状部２５２ａに沿って復帰移動することになる。
しかし、湾曲状部２５２ａは、ガイド用ピン２６１の係合位置から後部側がなだらかな膨らみ曲線で形成されているために、図１３に示す施錠位置（係止位置）から錠ケース２５０内への復帰移動の際、鎌部材２５２が下方への移動をほとんど伴わず、鉤形状部２５５が係止している係止部材２５９が鎌部材２５２の移動を阻害することになる。
【０００７】
また、鎌部材２５２が係止位置に移動到達した際、ガイド用ピン２６１がガイド用長溝部２６０の同一箇所に小さい面積で繰り返し衝接して応力が集中するので、当該衝接部分に変形を生じさせやすいという問題もある。
【０００８】
特許文献２に記載の鎌錠は、鎌部材２０２が後方の第二の連結ピン２０８を支点にし、かつ、軸回動するリンク２０６の回転軌道に沿って上方へ回動させているので、鎌部材２０２を受板部２１２に係合させにくいものである。
また、鎌部材２０２が受板部２１２との係合位置から移動開始位置に向けて復動するときには、鎌部材２０２の長孔２０５で衝撃が吸収され、リンク２０６が回動でそのまま押されるように錠ケース２００内に収納されるようになっている。
すなわち、長孔２０５と第一の連結ピン２０７とが繰り返し小さい面積で衝接するので、長孔２０５や第一の連結ピン２０７に変形等を生じさせ、堅牢な構造とは言い難いものである。
【０００９】
そこで本発明は、鎌部材を掛止金具に良好に掛止できるとともに、ケース内に向かう外力が鎌部材に作用したときにも、その鎌部材をケース内に常に良好に移動させられるとともに、堅牢な鎌錠の提供を目的としている。
【課題を解決するための手段】
【００１０】
上記目的を達成するための本発明の構成は、次のとおりである。
請求項１に記載した鎌錠は、カム溝及び遊挿溝をケース内の前部に形成するとともに、ケース内の後部に直線ガイド溝を形成し、鎌部材の後部にはガイドピンを横設して外部操作可能なハブに連結すると同時にガイドピンを直線ガイド溝に係入させ、鎌部材の前部には一対のリンクプレートの一端部を軸着すると同時にリンクプレートの他端部に遊動軸を横設し、一対のリンクプレートをカム溝に沿って案内可能に配設するとともに遊動軸を遊挿溝に配設し、カム溝は、鎌部材が前進するときに前部が途中突出位置まで直進できるように形成されているとともに、鎌部材が掛止位置に移動しているときに、一対のリンクプレートの他端部を突入させるための突入部をカム溝に形成し、鎌部材に外力が加えられたときに一対のリンクプレートの他端部を突入部に当接して他端部を中心とする弧状経路に沿ってケース内の所定位置に向けて後退できるように形成されていることを特徴とする。
【００１１】
請求項２に記載の鎌錠は、請求項１に記載したカム溝には、一対のリンクプレートの一端部を摺接することにより、その一対のリンクプレートに連結した鎌部材を、ケース内の所定位置から所要寸法だけ水平に突出させた途中突出位置に向けての水平移動をガイドする壁部と、その途中突出位置から掛止位置に向けての鎌部材の移動をガイドする壁部とをカム溝に形成している。
【００１２】
請求項３に記載の鎌錠は、請求項１又は２のいずれかに記載した一対のリンクプレートの一端部をカム溝の壁面に摺接させながら、ケース内の所定位置から掛止位置に向けての鎌部材の移動をガイドする。
【００１３】
請求項４に記載した鎌錠は、請求項１〜３のいずれかに記載したカム溝には、一対のリンクプレートを当接することにより鎌部材を掛止位置に位置決めするための第一の位置決め壁部と、一対のリンクプレートを当接することにより鎌部材をケース内の所定位置に位置決めするための第二の位置決め壁部とが形成されている。
【００１４】
請求項５に記載の鎌錠は、請求項１〜４のいずれかに記載した構成において、少なくとも掛止位置に移動している鎌部材を弾性的に保持するための位置保持用弾性材をケース内に配設している。
【発明の効果】
【００１５】
請求項１に記載した発明によれば、鎌部材が前進するときに前部が途中突出位置まで直進させられ、また、鎌部材に外力が加えられたときにはリンクプレートによって鎌部材を弧状経路に沿って迅速に後退させることができる。また、ケース内に向かう外力が上記鎌部材に作用することにより、突入部に突入しているリンクプレートの他端部を中心とする弧状経路に沿ってケース内の所定位置に向けて後退する配置関係にして鎌部材とリンクプレートとを連結しているので、簡易な構成により鎌部材をケース内に迅速に復帰させることができる。
【００１６】
請求項２に記載した発明によれば、ケース内の所定位置から所要寸法だけ水平に突出させた途中突出位置に向けての水平移動と、その途中突出位置から掛止位置に向けての鎌部材の移動を確実に行わせることができる。
【００１７】
請求項３に記載した発明によれば、一対のリンクプレートの一端をカム溝の壁面に摺接させながら、ケース内の所定位置から掛止位置に向けての鎌部材の移動をガイドするので、簡易な構成で確実な動作を行わせることができる。
【００１８】
請求項４に記載した発明によれば、鎌部材が掛止位置に移動すると、リンクプレートが第一の位置決め壁部に当接して鎌部材が位置決めされ、また、鎌部材がケース内の所定位置に移動すると、リンクプレートが第二の位置決め壁部に当接して鎌部材が位置決めされるので、鎌部材の位置決めを簡易な構成により容易に行うことができる。
【００１９】
請求項５に記載した発明によれば、少なくとも掛止位置に移動している鎌部材を弾性的に保持するための位置保持用弾性材をケース内に配設しているので、鎌部材が不時に移動することを防止することができる。
【図面の簡単な説明】
【００２０】
【図１】本発明の一実施形態に係る鎌錠の外観斜視図である。
【図２】同上の一実施形態に係る鎌錠の分解斜視図である。
【図３】２つの分割体のうちの一方のものの正面図である。
【図４】ケース内に収容連結されている鎌部材、一対のリンクプレート、及びカム溝を示すものであり、一部を破断して示す部分斜視図である。
【図５】カム溝と遊挿溝の拡大図である。
【図６】施錠動作を経時的に示す説明図である。
【図７】施錠動作を経時的に示す説明図である。
【図８】施錠動作を経時的に示す説明図である。
【図９】施錠動作を経時的に示す説明図である。
【図１０】鎌部材にケース内に向かう外力が作用したときの動作を経時的に示す説明図である。
【図１１】鎌部材にケース内に向かう外力が作用したときの動作を経時的に示す説明図である。
【図１２】鎌部材にケース内に向かう外力が作用したときの動作を経時的に示す説明図である。
【図１３】第一の従来例に係る鎌錠の施錠状態を示す縦断面図である。
【図１４】第二の従来例に係る鎌錠の施錠状態を示す縦断面図である。
【発明を実施するための形態】
【００２１】
以下に、本発明を実施するための最良の形態について、図面を参照して説明する。図１は、本発明の一実施形態に係る鎌錠の外観斜視図、図２は、その一実施形態に係る鎌錠の分解斜視図、図３は、２つの分割体のうちの一方のものの正面図、図４は、ケース内に収容連結されている鎌部材、一対のリンクプレート、及びカム溝を示すものであり、一部を破断して示す部分斜視図である。
【００２２】
本発明の一実施形態に係る鎌錠Ａは、図１に示すような外観形状にしたケースＢ内に、図２，４に示す鎌部材２０、ハブ４０、一対のリンクプレート５０，６０、及び位置保持用弾性材７０を、所定の連結構造にして配設した構成になっている。なお、リンクプレートを復動用部材ともいう。
【００２３】
鎌部材２０は、図２，４に示すように、横長の長軸部２１の前端部２１ａに鉤部２２を上向きにして形成されており、本実施形態においては二枚の鋼板２３，２４をスポット溶接等により接合した鋼板製のものである。
なお、鎌部材２０としては、二枚の鋼板２３，２４をスポット溶接等により接合した構成のものに限らず、一枚の鋼板又は３枚以上の鋼板を接合したものであってもよい。
【００２４】
鉤部２２は、基端部から上端部に向けて次第に小幅になる略台形にして形成されており、これの後端面２２ａが、当該鎌部材２０が掛止位置（エ）（図９）に移動したときに後述する受板１８５に密着する角度にして形成されている。
【００２５】
長軸部２１の前端部２１ａ寄りには、リンクプレート５０（６０）の下端部に配設された結合ピン８０を結合するためのピン結合用孔２５が形成されているとともに、後端部２１ｂは鋼板２３のみを延出させており、その鋼板２３の延出部分２３ａにガイドピン８１を嵌合するためのピン嵌合孔２６を形成している。
【００２６】
ハブ４０は、円筒形にした基部４１の外周壁４１ａに、長方形にした突出片４２と、正面視三角形の位置保持用突起４３を基部４１を挟む両側対向位置に形成したものである。
基部４１の両側面４１ｂ，４１ｃには、詳細を後述するケースＢをなす分割体１００，１１０の軸支孔１０１（図２，３参照）に回動自在に軸支される支持軸４４，４５をやや細径にして突設されている。
また、基部４１の中心、従って、支持軸４４，４５の中心には、サムターンやレバーハンドル等を連結する角棒（図示しない）を挿入するための四角孔４６が形成されている。
突出片４２には、鎌部材２０の後端部２１ｂのピン嵌合孔２６に嵌合されたガイドピン８１を遊挿するための長孔４７が所要の長さにして形成されている。
【００２７】
リンクプレート５０（６０）は、図２，４に示すように、凹湾曲させた後辺縁５１（６１）と、凸湾曲させた前辺縁５２（６２）を有するやや湾曲形成した長板であり、分割体１００（１１０）に形成した遊挿溝１０２（１１２）に遊挿する遊動軸である円柱状の挿入突起５３（６３）を上端部５０ａ（６０ａ）に、また、鎌部材２０のピン結合用孔２５に挿入する結合ピン８０を嵌合するための嵌合孔５４（６４）を一端部である下端部５０ｂ（６０ｂ）に形成している。
【００２８】
このリンクプレート５０（６０）の他端部である上端部５０ａ（６０ａ）には、後述するカム溝１５０（１６０）の凹陥部１５５（１６５）に突入させるための半円形状の回動用突起５５（６５）が、上記した挿入突起５３（６３）と嵌合孔５４（６４）との中心を通る軸線Ｏ１（Ｏ１′）から凸湾曲した前辺縁５２（６２）側に偏倚して形成されている。本実施形態においては、凹陥部１５５（１６５）が突入部である。
【００２９】
位置保持用弾性材７０は長方形の弾性板材であり、前記したハブ４０の位置保持用突起４３に弾接することにより、少なくとも掛止位置（エ）（図９参照）に移動している鎌部材２０を弾性的に保持するためのものである。
本実施形態においては、上述したハブ４０の位置保持用突起４３に当接することにより、ケースＢ内の所定位置である移動開始位置（ア）、及び掛止位置（エ）に移動した鎌部材２０を弾性的に保持するようにしている。
なお、位置保持用弾性材７０の弾性力は、ケースＢから突出している鎌部材２０に作用するケースＢ内に向かう外力により、鎌部材２０がケースＢ内に復帰することを許容する程度のものである。
【００３０】
次に、ケースＢは、図１，２，４に示すように、一対の分割体１００，１１０を互いに合わせてなる本体、消音ブッシュ１２０、及びフロント板１４０からなる。
分割体１００は、図２，３に示すように、収容部１０３の前端に前板１３０を一体に形成したものである。
前板１３０は縦長方形に形成されており、収容部１０３に連通する縦長方形にした開口１３１を中央に形成しているとともに、その開口１３１を挟む上下にビス（図示しない）を挿入するためのビス用孔１３２，１３２が形成されている。
【００３１】
収容部１０３は、これの側壁１０４の辺縁に、上壁１０５，後壁１０６及び下壁１０７を直角に折曲形成したものである。
上壁１０５の後側半部には、平面視において長方形の開口１０５ａが形成されているとともに、その開口１０５ａの前端には、位置保持用弾性材７０の前端７０ａに当接することによる位置決めをするための位置決め突起１０８が下向きに突出して形成され、また、後端には、その位置保持用弾性材７０の後端７０ｂを上壁１０５との間に挟持するための挟持片１０９が形成されている。
この構成により、挟持片１０９に挟持された位置保持用弾性材７０により、開口１０５ａが閉口された状態になる。換言すると、位置保持用弾性材７０は、これの前後端を支持された状態で、開口１０５ａに臨ませていることにより、その位置保持用弾性材７０の弾性変形を許容するようになっている。
【００３２】
側壁１０４の前板１３０寄りには、鎌部材２０を、これの鉤部２２がケースＢから所要寸法Ｌ１だけ突出した途中突出位置（イ）（図７参照）、換言すると前板１３０から所要寸法Ｌ１だけ突出した途中突出位置（イ）から、戸枠体１８０に取り付けられている掛止金具１８１の受板１８５との掛止位置（エ）に向けて移動するようにガイドするためのカム溝１５０と遊挿溝１０２が形成されている。
「途中突出位置（イ）」は、本実施形態においては、鉤部２２を受板１８５のほぼ下方に移動した位置であるが、掛止金具１８１側にさらに突出させた位置にしてもよい。
【００３３】
図５は、カム溝と遊挿溝の拡大図である。
カム溝１５０は、前壁面１５１，上壁面１５２，後壁面１５３及び下壁面１５４により区画形成されている。
前壁面１５１は、前記したリンクプレート５０の下端５０ｂを摺接することにより、そのリンクプレート５０にピン結合した鎌部材２０の途中突出位置（イ）から掛止位置（エ）への移動をガイドする機能を有するものである。
【００３４】
具体的には、詳細を後述する遊挿溝１０２の下端１０２ａに位置する挿入突起５３を中心とし、かつ、その挿入突起５３から下壁面１５４までの寸法を半径とした仮想円Ｍを想定した場合、前壁面１５１の下端１５１ａから上端１５１ｂに向けて、仮想円Ｍの円周から前方に凸湾曲させた曲面となっている。
すなわち、鎌部材２０を、遊挿溝１０２の下端１０２ａに位置する挿入突起５３を中心とした円周上を移動させているのではなく、その円周よりも前方に鎌部材２０を突出させた上記の途中突出位置（イ）から掛止位置（エ）に向けて所定の軌跡を描くように移動させるようになっている。換言すると、鎌部材２０は、前壁面１５１に沿って移動するようになっている。
【００３５】
上壁面１５２は、リンクプレート５０の凸湾曲した前辺縁５２に沿う凹曲面にして形成されており、換言すると、上壁面１５２とリンクプレート５０とが広い面積で当接するようにしている。
また、リンクプレート５０の前辺縁５２が上壁面１５２に当接することにより、鎌部材２０を掛止位置（エ）に位置決めできるようにしている。本実施形態においては、この上壁面１５２が、鎌部材２０を掛止位置（エ）に位置決めするための第一の位置決め壁部である。
【００３６】
後壁面１５３は、リンクプレート５０の凹湾曲した後辺縁５１に沿った凸曲面にして形成されており、換言すると、後壁面１５３とリンクプレート５０とが広い面積で当接するようにしている。
また、リンクプレート５０が後壁面１５３に当接することにより、鎌部材２０を移動開始位置（ア）に位置決めできるようにしている。本実施形態においては、この後壁面１５３が、鎌部材２０をケースＢ内の所定位置、すなわち、移動開始位置（ア）に位置決めするための第二の位置決め壁部である。
【００３７】
上壁面１５２と後壁面１５３との間には、上壁面１５２に当接しているリンクプレート５０の回動用突起５５を突入させるための凹陥部１５５が、回動用突起５５の輪郭とほぼ同形状にして形成されている。
【００３８】
下壁面１５４は、これの始端１５４ａから終端１５４ｂにかけて水平な平面として形成されており、これに摺接するリンクプレート５０が、始端１５４ａから終端１５４ｂに移動するときに、鎌部材２０が移動開始位置（ア）から途中突出位置（イ）に移動する。すなわち、始端１５４ａと終端１５４ｂとの距離が鎌部材２０の上記した突出寸法Ｌ１に一致している。
【００３９】
遊挿溝１０２は、リンクプレート５０の挿入突起５３を遊挿するものであり、カム溝１５０内であって上記の凹陥部１５５の近傍に形成している。
この遊挿溝１０２は、カム溝１５０内でのリンクプレート５０の移動、従ってまた、前壁面１５１に沿う鎌部材２０の移動を許容する形状，大きさ及び傾斜角度にして形成されている。具体的には、図２，５に示すように、左上方から右下方に向けてやや傾斜した略長穴であり、この幅Ｗ１は、リンクプレート５０の挿入突起５３の外径とほぼ一致して形成されている。
【００４０】
ところで、図２，３に示すように、側壁１０４の後半部側であって、位置保持用弾性材７０の下側となる位置には、ハブ４０の支持軸４４を回動自在に軸支する軸支孔１０１が形成されているとともに、位置決め突起１０８の近傍と後壁１０６の近傍に、分割体１１０と嵌合するための連結部材９８，９９が突設されている。
また、軸支孔１０１の直下には、ハブ４０の突出片４２に形成した長孔４７に挿入されたガイドピン８１の移動をガイドする横長の直線ガイド溝９７が所要の長さにして形成されている。
なお、他方の分割体１１０は、前板を設けていない点を除き、上述した分割体１００とほぼ同等かつ対称な構成となっているので、ここでは分割体１００において説明したものと、これらに対応する部分との対応関係を各図において括弧書きで示すことにする。
【００４１】
次に、消音ブッシュ１２０，フロント板１４０について、図２を参照して説明する。
消音ブッシュ１２０は、前記した鎌部材２０が当接することにより発生する異音を消すための例えばポリプロピレン等の合成樹脂製のものであり、それは、分割体１００，１１０の収容部１０３，１１３に差し込まれる差込み部１２１の前端部に、前板１３０の開口１３１内に挿入される左右一対の挿入部１２２，１２２（一方は図示しない）を形成した構成のものである。
【００４２】
フロント板１４０は例えばステンレス製のものであり、それは、上記した前板１３０と同じ輪郭に形成されているとともに、中央部に、鎌部材２０を遊挿するための縦長方形の開口１４１が形成され、かつ、その開口１４１を挟む上下に、ビス（図示しない）を挿入するためのビス孔１４２，１４２が形成されている。
【００４３】
鎌錠Ａは、上述した分割体１００，１１０内に、鎌部材２０、ハブ４０、一対のリンクプレート５０，６０、及び位置保持用弾性材７０を所定の連結構造となるようにして配設しておき、分割体１００，１１０の連結部材９８，９９と嵌合孔９４，９５とを嵌合するとともに、収容部１０３，１１３に消音ブッシュ１２０を差し込むことにより組み立てられる。
【００４４】
以上のように構成された鎌錠Ａの引戸１７０への取り付けは、引戸１７０の戸当たり面１７１から彫り込まれた凹所１７２に鎌錠Ａを嵌め込み、鎌錠Ａの前板１３０にフロント板１４０を重ね合わせてビス（図示省略）で固定するとともに、ハブ４０の四角孔４６に対向する引戸１７０の両側面に挿通孔を穿設し、その挿通孔から四角孔４６に角棒（図示しない）を挿通して、その角棒にサムターンやレバーハンドルを取り付け、サムターンやレバーハンドルの座板をビス止めすることにより行われる。
【００４５】
また、戸枠体１８０であって、引戸１７０に取り付けられた鎌錠Ａに対向する位置には、受け金具１８１が取り付けられている。
受け金具１８１は、縦長の鎌部材挿入口１８２を中央に形成した取付け板１８３と、この取付け板１８３に固定されたケース１８４と、取付け板１８３の上部に固定された受板１８５とを有して構成されている。
【００４６】
次に、前述した構成からなる鎌錠Ａの動作について、施錠動作と、ケース内に向かう外力が鎌部材に作用したときの動作に分けて詳細に説明する。図６〜９は、施錠動作を経時的に示す説明図、図１０〜１２は、ケース内に向かう外力が鎌部材に作用したときの動作を経時的に示す説明図、なお、図６〜９，図１０〜１２には、鎌部材等の移動状態を示すために分割体１００のみを示している。
【００４７】
＜＜施錠動作＞＞
施錠動作について、図６〜９とともに上記した図５を参照して説明する。
引戸１７０を閉めて施錠するときは、図６に示すように、鎌部材２０をケースＢ内の移動開始位置（ア）に前進移動させている状態で、引戸１７０の戸当たり面１７１を引戸枠体１８０に当接させ、位置保持用弾性材１７０の弾性力に抗してサムターンやレバーハンドル等を介してハブ４０を回動することにより、鎌部材２０を施錠方向αに前進移動させる。なお、「前進」若しくは「前進移動」を「往動」ともいう。
【００４８】
＜鎌部材２０の移動開始位置（ア）から途中突出位置（イ）への移動＞
鎌部材２０を移動開始位置（ア）に前進移動させているとき、リンクプレート５０は、図５，６に示す初期位置（カ）に移動しており、このとき、リンクプレート５０（６０）の後辺縁５１（６１）が後壁面１５３（１６３）に当接しかつ下端部５０ｂ（６０ｂ）が下壁面１５４（１６４）に当接した状態になっている。
また、リンクプレート５０（６０）が初期位置（カ）に移動しているとき、挿入突起５３（６３）は、遊挿溝１０２（１１２）の下端部１０２ａ（１１２ａ）に位置している。
なお、遊挿溝１０２（１１２）の下端部１０２ａ（１１２ａ）に移動している挿入突起５３（６３）を、図５に（サ）で示している。
【００４９】
上記ハブ４０の回動操作により、そのハブ４０の長孔４７に挿入されているガイドピン８１がケースＢの直線ガイド溝９７（９３）に案内されて、施錠方向αに水平に前進移動する。
上記水平な前進移動に伴って、図７に示すように、鎌部材２０が移動開始位置（ア）から、ケースＢのフロント板１３０から前方へ所定寸法Ｌ１だけ突出した途中突出位置（イ）に移動されるとともに、その鎌部材２０の鉤部２２が戸枠体１８０に埋設した受け金具１８１内に位置する。
一方、リンクプレート５０（６０）は、これの下端５０ｂ（６０ｂ）を下壁面１５４（１６４）に摺接したまま、鎌部材２０が移動開始位置（ア）から途中突出位置（イ）に移動するのと同時に、下壁面１５４（１６４）の始端から終端に向けて移動し、鎌部材２０が途中突出位置（イ）に移動したときに第一の摺接位置（キ）に位置する。
換言すると、鎌部材２０は、リンクプレート５０（６０）が下壁面の始端から終端に向けて水平に移動することにより、移動開始位置（ア）から途中突出位置（イ）に水平に前進移動する。
【００５０】
＜鎌部材２０の途中突出位置（イ）から中間位置（ウ）への移動＞
ハブ４０をさらに回動させると、図８に示すように、鎌部材２０はケースＢのフロント板１３０から所定寸法Ｌ１だけ突出した途中突出位置（イ）よりもさらに前方に突出しかつやや上方の中間位置（ウ）に移動される。
【００５１】
この中間位置（ウ）は、鎌部材２０の鉤部２２を受板１８５の掛止面１８５ａよりも施錠方向α前方の位置である。換言すると、平面視において鉤部２２の後端面２２ａと受板１８５の掛止面１８５ａとの間に所要の間隙ができるような位置である。
一方、リンクプレート５０（６０）は、カム溝１５０（１６０）の前壁面１５１（１６１）の中間に位置する第二の摺接位置（ク）（図８参照）に摺接移動する。
【００５２】
＜鎌部材２０の中間位置（ウ）から掛止位置（エ）への移動＞
さらにハブ４０を回動させると、鎌部材２０は第二の摺接位置（ク）からほぼ上方に移動して、図９に示すように、鉤部２２の後端面２２ａが受板１８５の係止面１８５ａに当接掛止した掛止位置（エ）に移動し、これにより施錠状態になる。
一方、リンクプレート５０（６０）は、カム溝１５０（１６０）の前壁面１５１（１６１）の中間位置から上方に摺接移動して、第二の摺接位置（ク）から第二の位置決め位置（ケ）に移動する。この第二の位置決め位置（ケ）に移動したリンクプレート５０（６０）は、前辺縁５２が上壁面１５２に当接しかつ下端部５０ｂが前壁面１５１に当接した状態になっている。すなわち、前辺縁５２が上壁面１５２に当接していることにより、鎌部材２０を掛止位置（エ）に位置決めしている。
なお、ハブ４０を上記とは逆方向に回動させて開錠動作を行うと、鎌部材２０は、上述した施錠動作のときの経路と同じ経路を逆に辿って掛止位置（エ）から移動開始位置（ア）に向けて後退移動する。
なお、「後退」若しくは「後退移動」を「復動」ともいう。
【００５３】
＜鎌部材にケース内に向かう外力が作用したとき＞
鎌部材にケース内に向かう外力が作用したときの動作について、図１０〜１２を参照して説明する。
鎌部材２０にケースＢ内に向かう外力が作用する状況としては、例えば鎌部材２０を移動開始位置（ア）に戻し忘れて、掛止位置（エ）に鎌部材２０を移動させた状態のまま、引戸１７０を閉じてしまう場合等である。
【００５４】
すなわち、鎌部材２０を掛止位置（エ）に移動したまま引戸１７０を閉動作すると、図１０に示すように受け金具１８１の取付け板１８３に鎌部材２０の鉤部２２が当接する。
この当接により、掛止位置（エ）に移動している鎌部材２０に、ケースＢ内に向かう外力Ｆ１が加わる。
【００５５】
すなわち、外力Ｆ１が鎌部材２０に加わると、第二の位置決め位置（ケ）に移動しているリンクプレート５０（６０）には、回動用突起５５（６５）を凹陥部１５５（１６５）に突入した状態になり、その回動用突起５５（６５）を回動中心として、図示反時計方向に回動させようとする分力が生じる。換言すると、外力Ｆ１は、リンクプレート５０（６０）により鎌部材２０をケースＢ内に後退復帰させようとする復帰力に変換されるのである。
【００５６】
この復帰力により、鎌部材２０は、カム溝１５０（１６０）にガイドされることなく、凹陥部１５５（１６５）に突入している回動用突起５５（６５）を中心とした円弧の軌跡（弧状経路）を辿って、開始位置（カ）に後退移動し始める。
すなわち、鎌部材２０は、図８に示す中間位置（ウ）よりも斜め上方の通過位置を通過するとともに、図７に示す突出位置（イ）よりも斜め上方の通過位置を通過して、移動開始位置（ア）に後退復帰する。
このようにして、鎌部材２０は、リンクプレート５０，６０によって引き込まれるようにしてケースＢ内に円滑に収納され、鎌部材２０の鉤部２２や受け金具１８１を損傷することがない。
なお、鎌部材２０が上記通過位置のいずれを通過するときにも、リンクプレート５０（６０）の下端部５０ｂ（６０ｂ）は、カム溝１５０（１６０）の前壁面１５１（１６１），下壁面１５４（１６４）から離間した中間位置にある。
【００５７】
すなわち、移動開始位置（ア）から掛止位置（エ）に向けての鎌部材２０の移動経路は、カム溝１５０の下壁面１５４から前壁面１５１にかけての曲面に沿ったものとなっており、また、掛止位置（エ）から移動開始位置（ア）に向けての鎌部材２０の移動経路は、凹陥部１５５（１６５）に突入している回動用突起５５（６５）を中心とした弧状のものである。本実施形態においては上記した移動経路が弧状経路であり、本実施形態においては円弧状の経路となっている。
以上のように、移動開始位置（ア）から掛止位置（エ）に向けての鎌部材２０の移動経路よりも、掛止位置（エ）から移動開始位置（ア）に向けての鎌部材２０の移動経路の経路長が短くなっている。
【００５８】
上述したように、掛止位置（エ）から移動開始位置（ア）に向けて移動するリンクプレート５０（６０）の下端５０ｂ（６０ｂ）は、カム溝１５０の壁面に摺接することがないので、摩擦面積が小さく摩擦抵抗の少ない軽快な動作を行わせられる。
【００５９】
本発明は、上記した実施形態に限るものではなく、次のような変形実施が可能である。
・上記においては、位置保持用弾性材を板材で形成したものについて説明したが、コイルスプリングやトーションスプリング若しくはゴム材等を採用してもよい。
・また、上記においては、リンクプレートの上端部に挿入突起を一体に形成した例について説明したが、リンクプレートの上端部に嵌合孔を形成するとともに、その嵌合孔にピン部材を嵌合させた構成にしてもよい。
・鎌部材にピン結合したリンクプレートをガイド部にガイドさせた構成について説明したが、鎌部材自体をガイド部にガイドさせるようにしてもよい。
【符号の説明】
【００６０】
２０  鎌部材
２１  長軸部
４０  ハブ
５０，６０  リンクプレート
５３，６３  遊動軸（挿入突起）
７０  位置保持用弾性材
８１  ガイドピン
９７  直線ガイド溝
１０２，１１２  遊挿溝
１５０，１６０  カム溝
１５２，１６２  上壁面（第一の位置決め壁部）
１５３，１６３  後壁面（第二の位置決め壁部）
１５５，１６５  突入部（凹陥部）
１８０  戸枠体
１８５  受板
Ｂ  ケース
（ア）  所定位置（移動開始位置）
（イ）  途中突出位置
（エ）  掛止位置
【図１】
2011047272.tif 000003
【図２】
2011047272.tif 000004
【図３】
2011047272.tif 000005
【図４】
2011047272.tif 000006
【図５】
2011047272.tif 000007
【図６】
2011047272.tif 000008
【図７】
2011047272.tif 000009
【図８】
2011047272.tif 000010
【図９】
2011047272.tif 000011
【図１０】
2011047272.tif 000012
【図１１】
2011047272.tif 000013
【図１２】
2011047272.tif 000014
【図１３】
2011047272.tif 000015
【図１４】
2011047272.tif 000016